【手続補正書】
【提出日】平成24年6月14日(2012.6.14)
【手続補正１】
【補正対象書類名】特許請求の範囲
【補正対象項目名】全文
【補正方法】変更
【補正の内容】
【特許請求の範囲】
【請求項１】
ＡＣバスおよびＤＣバスをインターフェイスで接続する装置であって、
該装置は、
該ＡＣバスに連結された変圧器であって、該変圧器は、少なくとも第一の出力と第二の出力とを有する、変圧器と、
該第一の出力に連結され、かつ該ＤＣバスに連結された１つ以上のトランジスタのセットと、
該第二の出力に連結され、かつ該ＤＣバスに連結された、該１つ以上のトランジスタのセットとは異なる１つ以上のダイオードのセットと、
該１つ以上のトランジスタのセットに連結されたマイクロコントローラーであって、該マイクロコントローラーは、該１つ以上のトランジスタのセットを流れる電流を調節することと、該１つ以上のダイオードのセットを流れる電流を調節するすることとを行うように構成されている、マイクロコントローラーと
を含む、装置。
【請求項２】
前記マイクロコントローラーは、前記ＤＣバス上の電圧を調節することにより、前記１つ以上のダイオードのセットを通る電流を調節するように構成されている、請求項１に記載の装置。
【請求項３】
前記マイクロコントローラーは、前記ＤＣバスのパワー負荷が第一のパワーレンジ内であるとき、実質的に全パワーが前記１つ以上のトランジスタのセットを流れるように、該１つ以上のトランジスタのセットおよび前記１つ以上のダイオードのセットを流れる電流を調節するように構成されている、請求項１に記載の装置。
【請求項４】
前記１つ以上のトランジスタのセットは、第一の全パワー容量を有し、前記１つ以上のダイオードのセットは、第二の全パワー容量を有し、該第一の全パワー容量は、該第二の全パワー容量より少なく、前記第一のパワーレンジは、ゼロと、該第一の全パワー容量に部分的に基づいて選択された第一レベルとの間にある、請求項３に記載の装置。
【請求項５】
１つ以上のパワー消費またはパワー格納デバイスのセットと、
前記ＤＣバスと、該１つ以上のパワー消費デバイスのセットとに連結されたスイッチと
をさらに含み、
前記マイクロコントローラーは、該１つ以上のパワー消費または格納デバイスのセットへのパワー送信を調節するようにさらに構成されている、請求項１に記載の装置。
【請求項６】
前記１つ以上のパワー消費デバイスのセットは、抵抗器を含む、請求項５に記載の装置。
【請求項７】
前記１つ以上のパワー消費デバイスのセットは、コンデンサーを含む、請求項５に記載の装置。
【請求項８】
前記１つ以上のトランジスタのセットは、１つ以上のトランジスタパックを含み、各トランジスタパックは、別個のユニットとして作動するように構成されており、
前記装置は、
該トランジスタパックが前記ＡＣバスに直接的に連結されないように、該ＡＣバスと該トランジスタパックのうちの１つのトランジスタパックとの間に配列されたスイッチであって、該スイッチは、該ＡＣバス、ＡＣ負荷デバイスおよび該トランジスタパックに連結され、該スイッチは、該トランジスタパックを該ＡＣバスまたは該ＡＣ負荷デバイスに交互に連結するように構成されている、スイッチをさらに含み、
該トランジスタパックは、該ＡＣバスおよび前記ＤＣバスに連結されたとき、ＡＣ−ＤＣパワー変換を行い、該ＤＣバスおよび該ＡＣ負荷デバイスに連結されたとき、ＤＣ−ＡＣパワー変換を行うように構成されている、請求項１に記載の装置。
【請求項９】
ＡＣバスおよびＤＣバスをインタフェースで接続する装置であって、
該装置は、
該ＡＣバスに連結された変圧器であって、該変圧器は、少なくとも第一の出力と第二の出力とを有する、変圧器と、
該第一の出力に連結され、かつ該ＤＣバスに連結された１つ以上のトランジスタのセットと、
該第二の出力に連結され、かつ該ＤＣバスに連結された、該１つ以上のトランジスタのセットとは異なる１つ以上のＳＣＲのセットと、
該１つ以上のトランジスタのセットに連結された第一のマイクロコントローラーであって、該第一のマイクロコントローラーは、該１つ以上のトランジスタのセットを流れる電流を調節することと、該１つ以上のＳＣＲのセットを流れる電流を調節することとを行うように構成されている、第一のマイクロコントローラーと
を含む、装置。
【請求項１０】
前記第一のマイクロコントローラーは、前記ＤＣバス上の電圧を調節することにより、前記１つ以上のＳＣＲのセットを通る電流を調節するように構成されている、請求項９に記載の装置。
【請求項１１】
前記第一のマイクロコントローラーは、前記ＳＣＲのゲートを制御することにより、前記１つ以上のＳＣＲのセットを通る電流をさらに調節する、請求項１０に記載の装置。
【請求項１２】
前記１つ以上のＳＣＲに連結された第二のマイクロコントローラーをさらに含み、
前記第一のマイクロコントローラーは、該第二のマイクロコントローラーに信号を送ることにより、該１つ以上のＳＣＲのセットを通る電流を調節する、請求項１１に記載の装置。
【請求項１３】
前記マイクロコントローラーは、前記ＤＣバスのパワー負荷が第一のパワーレンジ内であるとき、実質的に全パワーが前記１つ以上のトランジスタのセットを流れるように、該１つ以上のトランジスタのセットおよび前記１つ以上のＳＣＲのセットを流れる電流を調節するように構成されている、請求項９に記載の装置。
【請求項１４】
前記１つ以上のトランジスタのセットは、第一の全パワー容量を有し、前記１つ以上のＳＣＲのセットは、第二の全パワー容量を有し、該第一の全パワー容量は、該第二の全パワー容量より少なく、前記第一のパワーレンジは、ゼロと、該第一の全パワー容量に部分的に基づいて選択されたレベルとの間にある、請求項９に記載の装置。
【請求項１５】
１つ以上のパワー消費デバイスのセットと、
前記ＤＣバスに連結され、かつ該１つ以上のパワー消費デバイスのセットに連結されたスイッチと
をさらに含み、
前記第一のマイクロコントローラーは、該１つ以上のパワー消費デバイスのセットへのパワー移動を調節するようにさらに構成されている、請求項９に記載の装置。
【請求項１６】
前記１つ以上のパワー消費デバイスのセットは、抵抗器を含む、請求項１５に記載の装置。
【請求項１７】
前記１つ以上のパワー消費デバイスのセットは、コンデンサーを含む、請求項１５に記載の装置。
【請求項１８】
ＤＣバスと、１つ以上の発生器のセットを有するＡＣバスに連結された変圧器とをインターフェイスで接続する方法であって、
該方法は、
第一の全パワー容量を有する１つ以上のトランジスタのセットを該変圧器の第一の出力および該ＤＣバスに連結することと、
第二の全パワー容量を有する、該１つ以上のトランジスタのセットとは異なる１つ以上のＳＣＲのセットを該変圧器の第二の出力および該ＤＣバスに連結することと、
該ＤＣバスのパワー負荷が第一のパワーレンジ内であるとき、実質的に全パワーが該１つ以上のトランジスタのセットを流れるように、該１つ以上のトランジスタのセットおよび該１つ以上のＳＣＲのセットを流れる電流を調節することと
を含む、方法。
【請求項１９】
前記電流を調節するステップは、前記ＤＣバス上の電圧を調節することを含む、請求項１８に記載の方法。
【請求項２０】
スイッチを通して、前記ＤＣバスを１つ以上のパワー消費または格納デバイスのセットに連結することと、
該ＤＣバスのパワー負荷が第二のレベルを超えているとき、該１つ以上のパワー消費または格納デバイスのセットを流れる電流を調節することと
をさらに含む、請求項１８に記載の方法。
【請求項２１】
ＡＣ−ＤＣパワー変換およびＤＣ−ＡＣパワー変換のための装置であって、
該装置は、
１つ以上のトランジスタパックのセットであって、各トランジスタパックは、ＡＣバスおよびＤＣバスに連結された別個のユニットとして作動するように構成されている、１つ以上のトランジスタパックのセットと、
該トランジスタパックが該ＡＣバスに直接的に連結されないように、該ＡＣバスと該トランジスタパックのうちの１つのトランジスタパックとの間に配列されたスイッチであって、該スイッチは、該ＡＣバス、ＡＣ負荷デバイスおよび該トランジスタパックに連結され、該スイッチは、該トランジスタパックを該ＡＣバスまたは該ＡＣ負荷デバイスに交互に連結するように構成されている、スイッチと
を含み、
該トランジスタパックは、該ＡＣバスおよび該ＤＣバスに連結されたとき、ＡＣ−ＤＣパワー変換を行い、該ＤＣバスおよび該ＡＣ負荷デバイスに連結されたとき、ＤＣ−ＡＣパワー変換を行うように構成されている、装置。
【請求項２２】
前記トランジスタパックのうちの第二のトランジスタパックが前記ＡＣバスに直接的に連結されないように、該ＡＣバスと該第二のトランジスタパックとの間に配列された第二のスイッチであって、該スイッチは、該ＡＣバス、ＡＣ負荷デバイスおよび該第二のトランジスタパックに連結され、該スイッチは、該第二のトランジスタパックを該ＡＣバスまたは該ＡＣ負荷デバイスに交互に連結するように構成されている、第二のスイッチをさらに含み、
該第二のトランジスタパックは、該ＡＣバスおよび前記ＤＣバスに連結されたとき、ＡＣ−ＤＣパワー変換を行い、該ＤＣバスおよび該ＡＣ負荷デバイスに連結されたとき、ＤＣ−ＡＣパワー変換を行うように構成されている、請求項２１に記載の装置。
【手続補正２】
【補正対象書類名】明細書
【補正対象項目名】００２５
【補正方法】変更
【補正の内容】
【００２５】
発生器、負荷、ＤＣバスと一緒にＡＣ−ＤＣ、ＤＣ−ＡＣまたはＤＣ−ＤＣ変換を行うことが可能なトランジスタパックを用いる方法は、トランジスタパックがＡＣ−ＤＣまたはＤＣ−ＤＣ変換を行い得るように、トランジスタパックを発生器およびＤＣバスへ連結させることを含む。方法は、また、トランジスタパックがＤＣ−ＡＣ変換またはＤＣ−ＤＣ変換を行い得るように、トランジスタパックをＤＣバスおよび負荷へ連結させることを含む。
例えば、本発明は以下の項目を提供する。
（項目１）
ＡＣバスおよびＤＣバスをインターフェイスで接続する装置であって、該装置は、
該ＡＣバスに連結され、かつ該ＤＣバスに連結された１つ以上のトランジスタのセットと、
該ＡＣバスに連結され、かつ該ＤＣバスに連結された１つ以上のダイオードのセットと、
該１つ以上のトランジスタのセットを流れる電流を調節し、該１つ以上のダイオードのセットを流れる電流を調節するように構成されている、該１つ以上のトランジスタのセットに連結されたマイクロコントローラーと
を含む、装置。
（項目２）
項目１の装置であって、上記マイクロコントローラーは、上記ＤＣバス上の電圧を調節することにより、上記１つ以上のダイオードのセットを通る電流を調節するように構成されている、装置。
（項目３）
項目１の装置であって、上記マイクロコントローラーは、上記ＤＣバスのパワー負荷が第一のパワーレンジ内であるとき、実質的に全パワーが上記１つ以上のトランジスタのセットを流れるように、該１つ以上のトランジスタのセットおよび上記１つ以上のダイオードのセットを流れる電流を調節するように構成されている、装置。
（項目４）
項目３の装置であって、上記１つ以上のトランジスタのセットは、第一の全パワー容量を有し、上記１つ以上のダイオードのセットは、第二の全パワー容量を有し、該第一の全パワー容量は、該第二の全パワー容量より少なく、上記第一のパワーレンジは、ゼロと、部分的には該第一の全パワー容量に基づいて選択された第一レベルとの間にある、装置。
（項目５）
項目１の装置であって、該装置は、
１つ以上のパワー消費またはパワー格納デバイスのセットと、
上記ＤＣバスおよび該１つ以上のパワー消費デバイスのセットに連結されたスイッチと
をさらに含み、
上記マイクロコントローラーは、該１つ以上のパワー消費またはパワー格納デバイスのセットへのパワー送信を調節するようにさらに構成されている、装置。
（項目６）
項目５の装置であって、上記１つ以上のパワー消費デバイスのセットは、抵抗器を含む、装置。
（項目７）
項目５の装置であって、上記１つ以上のパワー消費デバイスのセットは、コンデンサーを含む、装置。
（項目８）
項目１の装置であって、上記１つ以上のトランジスタのセットは、１つ以上のトランジスタパックを含み、各トランジスターパックは、別個のユニットとして作動するように構成されており、該装置は、
該トランジスタパックが直接ＡＣバスに連結されないように、上記ＡＣバスと該トランジスタパックの１つとの間に配列されたスイッチであって、該スイッチは、該ＡＣバス、ＡＣ負荷デバイスおよび該トランジスタパックに連結され、該スイッチは、該トランジスタパックを該ＡＣバスまたは該ＡＣ負荷デバイスに交互に連結させるように構成されている、スイッチ
をさらに含み、
該トランジスタパックは、該ＡＣバスおよび上記ＤＣバスに連結されたとき、ＡＣ−ＤＣパワー変換を行い、該ＤＣバスおよび該ＡＣ負荷デバイスに連結されたとき、ＤＣ−ＡＣパワー変換を行うように構成されている、装置。
（項目９）
ＡＣバスおよびＤＣバスをインタフェースで接続する装置であって、該装置は、
該ＡＣバスに連結され、かつ該ＤＣバスに連結された１つ以上のトランジスタのセットと、
該ＡＣバスに連結され、かつ該ＤＣバスに連結された１つ以上のＳＣＲのセットと、
該１つ以上のトランジスタのセットを流れる電流を調節し、該１つ以上のＳＣＲのセットを流れる電流を調節するように構成されている、該１つ以上のトランジスタのセットに連結された第一のマイクロコントローラーと
を含む、装置。
（項目１０）
項目９の装置であって、上記第一のマイクロコントローラーは、上記ＤＣバス上の電圧を調節することにより、上記１つ以上のＳＣＲのセットを通る電流を調節するように構成されている、装置。
（項目１１）
項目１０の装置であって、上記第一のマイクロコントローラーは、上記ＳＣＲのゲートを制御することにより、上記１つ以上のＳＣＲのセットを通る電流をさらに調節する、装置。
（項目１２）
項目１１の装置であって、該装置は、
上記１つ以上のＳＣＲに連結された第二のマイクロコントローラー
をさらに含み、
上記第一のマイクロコントローラーは、該第二のマイクロコントローラーに信号を送ることにより、該１つ以上のＳＣＲのセットを通る電流を調節する、装置。
（項目１３）
項目９の装置であって、上記マイクロコントローラーは、上記ＤＣバスのパワー負荷が第一のパワーレンジ内であるとき、実質的に全パワーが上記１つ以上のトランジスタのセットを流れるように、該１つ以上のトランジスタのセットおよび上記１つ以上のＳＣＲのセットを流れる電流を調節するように構成されている、装置。
（項目１４）
項目９の装置であって、上記１つ以上のトランジスタのセットは、第一の全パワー容量を有し、上記１つ以上のＳＣＲのセットは、第二の全パワー容量を有し、該第一の全パワー容量は、該第二の全パワー容量より少なく、上記第一のパワーレンジは、ゼロと、部分的には該第一の全パワー容量に基づいて選択されたレベルとの間にある、装置。
（項目１５）
項目９の装置であって、該装置は、
１つ以上のパワー消費デバイスのセットと、
上記ＤＣバスおよび該１つ以上のパワー消費デバイスのセットに連結されたスイッチと
をさらに含み、
上記第一のマイクロコントローラーは、該１つ以上のパワー消費デバイスのセットへのパワー移動を調節するようにさらに構成されている、装置。
（項目１６）
項目１５の装置であって、上記１つ以上のパワー消費デバイスのセットは、抵抗器を含む、装置。
（項目１７）
項目１５の装置であって、上記１つ以上のパワー消費デバイスのセットは、コンデンサーを含む、装置。
（項目１８）
１つ以上の発生器のセットに連結されたＡＣバスをＤＣバスにインターフェイスで接続する方法であって、該方法は、
第一の全パワー容量を有する１つ以上のトランジスタのセットを該ＡＣバスおよび該ＤＣバスに連結することと、
第二の全パワー容量を有する１つ以上のＳＣＲのセットを該ＡＣバスおよび該ＤＣバスに連結することと、
該ＤＣバスのパワー負荷が第一のパワーレンジ内であるとき、実質的に全パワーが該１つ以上のトランジスタのセットを流れるように、該１つ以上のトランジスタのセットおよび該１つ以上のＳＣＲのセットを流れる電流を調節することと
を含む、方法。
（項目１９）
項目１８の方法であって、上記電流を調節するステップは、上記ＤＣバス上の電圧を調節することを含む、方法。
（項目２０）
項目１８の方法であって、該方法は、
スイッチを通して、上記ＤＣバスを１つ以上のパワー消費または格納デバイスのセットに連結することと、
該ＤＣバスのパワー負荷が第二のレベルを超えているとき、該１つ以上のパワー消費または格納デバイスのセットを流れる電流を調節することと
をさらに含む、方法。
（項目２１）
ＡＣ−ＤＣパワー変換およびＤＣ−ＡＣパワー変換のための装置であって、該装置は、
１つ以上のトランジスタパックのセットであって、各トランジスタパックは、ＡＣバスおよびＤＣバスに連結された別個のユニットとして作動するように構成されている、１つ以上のトランジスタパックのセットと、
該トランジスタパックが該ＡＣバスに直接的に連結されないように、該ＡＣバスと該トランジスタパックの１つとの間に配列されたスイッチであって、該スイッチは、該ＡＣバス、ＡＣ負荷デバイスおよび該トランジスタパックに連結され、該スイッチは、該トランジスタパックを該ＡＣバスまたは該ＡＣ負荷デバイス交互に連結させるように構成されている、スイッチと
を含み、
該トランジスタパックは、該ＡＣバスおよび該ＤＣバスに連結されたとき、ＡＣ−ＤＣパワー変換を行い、該ＤＣバスおよび該ＡＣ負荷デバイスに連結されたとき、ＤＣ−ＡＣパワー変換を行うように構成されている、装置。
（項目２２）
項目２１の装置であって、該装置は、
第二のトランジスタパックが上記ＡＣバスに直接的に連結されないように、該ＡＣバスと該トランジスタパックの第二の１つとの間に配列された第二のスイッチであって、該スイッチは、該ＡＣバス、ＡＣ負荷デバイスおよび該第二のトランジスタパックに連結され、該スイッチは、該第二のトランジスタパックを該ＡＣバスまたは該ＡＣ負荷デバイスに交互に連結させるように構成されている、スイッチ
をさらに含み、
該第二のトランジスタパックは、該ＡＣバスおよび上記ＤＣバスに連結されたとき、ＡＣ−ＤＣパワー変換を行い、該ＤＣバスおよび該ＡＣ負荷デバイスに連結されたとき、ＤＣ−ＡＣパワー変換を行うように構成されている、装置。